(57)【要約】【課題】給電装置および電子機器における通信と給電とを同様のタイミングで切り替えることができるようにする。【解決手段】電子機器に無線給電を行う給電手段と、前記電子機器と無線通信を行う通信手段と、前記給電手段および前記通信手段を制御する制御手段と、を有する給電装置であって、前記制御手段は、給電開始のための処理を起点として、前記電子機器との間で共有する時間である第１の所定時間が経過した後に、前記給電手段による無線給電を開始するように制御することを特徴とする。【選択図】図８
2018137956.tif 000002
【特許請求の範囲】
【請求項１】
電子機器に無線給電を行う給電手段と、
前記電子機器と無線通信を行う通信手段と、
前記給電手段および前記通信手段を制御する制御手段と、を有する給電装置であって、
前記制御手段は、給電開始のための処理を起点として、前記電子機器との間で共有する時間である第１の所定時間が経過した後に、前記給電手段による無線給電を開始するように制御することを特徴とする給電装置。
【請求項２】
前記第１の所定時間の終点は、前記電子機器が前記通信手段との無線通信を無効にするタイミングよりも後であることを特徴とする請求項１に記載の給電装置。
【請求項３】
前記制御手段は、前記第１の所定時間の情報を前記通信手段により前記電子機器に送信するように制御することを特徴とする請求項１または２に記載の給電装置。
【請求項４】
前記制御手段は、前記給電手段による無線給電の立ち上がり速度に応じて前記第１の所定時間を決定するように制御することを特徴とする請求項１ないし３の何れか１項に記載の給電装置。
【請求項５】
前記制御手段は、前記給電開始のための処理を起点として、前記第１の所定時間より長く、前記電子機器との間で共有する時間である第２の所定時間が経過する前に、前記給電手段により無線給電を終了するように制御することを特徴とする請求項１ないし４の何れか１項に記載の給電装置。
【請求項６】
前記第２の所定時間の終点は、前記電子機器が前記通信手段との無線通信を無効から有効に切り替えるタイミングよりも前であることを特徴とする請求項５に記載の給電装置。
【請求項７】
前記制御手段は、前記第２の所定時間の情報を前記通信手段により前記電子機器から受信するように制御することを特徴とする請求項５または６に記載の給電装置。
【請求項８】
前記制御手段は、前記給電手段による無線給電と前記通信手段による無線通信とのうち何れか一方が行われるときに、他方が行われないように制御することを特徴とする請求項１ないし７の何れか１項に記載の給電装置。
【請求項９】
前記起点とする給電開始のための処理は、
前記通信手段を介して前記電子機器に情報を送信する処理、または、前記通信手段を介して前記電子機器から情報を受信する処理のうち何れか一つの処理であることを特徴とする請求項１ないし８の何れか１項に記載の給電装置。
【請求項１０】
電子機器に無線給電を行う給電手段と、
前記電子機器と無線通信を行う通信手段と、
前記給電手段および前記通信手段を制御する制御手段と、を有する給電装置の制御方法であって、
前記制御手段は、給電開始のための通信を起点として、前記電子機器との間で共有する時間である第１の所定時間が経過した後に、前記給電手段による無線給電を開始するように制御することを特徴とする給電装置の制御方法。
【請求項１１】
コンピュータを請求項１ないし９の何れか１項に記載の制御手段として機能させるためのプログラム。
【請求項１２】
給電装置から無線給電を受ける受電手段と、
前記給電装置と無線通信を行う通信手段と、
前記受電手段および前記通信手段を制御する制御手段と、を有する電子機器であって、
前記制御手段は、給電開始のための処理を起点として、前記給電装置との間で共有する時間である第１の所定時間が経過する前に、前記通信手段による無線通信を無効にするように制御することを特徴とする電子機器。
【請求項１３】
前記制御手段は、前記第１の所定時間が経過する前に、前記通信手段による無線通信を無効にすると共に、前記受電手段を前記給電装置から給電可能な状態に遷移させるように制御することを特徴とする請求項１２に記載の電子機器。
【請求項１４】
前記第１の所定時間の終点は、前記給電装置が無線給電を開始するタイミングよりも前であることを特徴とする請求項１２または１３に記載の電子機器。
【請求項１５】
前記制御手段は、前記第１の所定時間の情報を前記通信手段により前記給電装置から受信するように制御することを特徴とする請求項１２ないし１４の何れか１項に記載の電子機器。
【請求項１６】
前記第１の所定時間は、前記給電装置による無線給電の立ち上がり速度に応じて決定される時間であることを特徴とする請求項１５に記載の電子機器。
【請求項１７】
前記制御手段は、前記給電開始のための処理を起点として、前記第１の所定時間より長く、前記給電装置との間で共有する時間である第２の所定時間が経過した後に、前記通信手段による無線通信を無効から有効に切り替えるように制御することを特徴とする請求項１２ないし１６の何れか１項に記載の電子機器。
【請求項１８】
前記第２の所定時間の終点は、前記給電装置が無線給電を終了させるタイミングよりも後であることを特徴とする請求項１７に記載の電子機器。
【請求項１９】
前記制御手段は、前記第２の所定時間の情報を前記給電装置に送信するように制御することを特徴とする請求項１７または１８に記載の電子機器。
【請求項２０】
前記制御手段は、前記受電手段による受電と前記通信手段による無線通信とのうち何れか一方が行われるときに、他方が行われないように制御することを特徴とする請求項１２ないし１９の何れか１項に記載の電子機器。
【請求項２１】
前記起点とする給電開始のための処理は、
前記通信手段を介して前記給電装置に情報を送信する処理、または、前記通信手段を介して前記給電装置から情報を受信する処理のうち何れか一つの処理であることを特徴とする請求項１２ないし２０の何れか１項に記載の電子機器。
【請求項２２】
給電装置から無線給電を受ける受電手段と、
前記給電装置と無線通信を行う通信手段と、
前記受電手段および前記通信手段を制御する制御手段と、を有する電子機器の制御方法であって、
前記制御手段は、給電開始のための通信を起点として、前記給電装置との間で共有する時間である第１の所定時間が経過する前に、前記通信手段による無線通信を無効にするように制御することを特徴とする電子機器の制御方法。
【請求項２３】
コンピュータを請求項１２ないし２１の何れか１項に記載の制御手段として機能させるためのプログラム。
【発明の詳細な説明】
【技術分野】
【０００１】
本発明は、給電装置、電子機器、制御方法およびプログラムに関する。
【背景技術】
【０００２】
近年、コネクタで接続することなく無線により電力を供給する給電装置と、給電装置から無線により供給される電力を受け取る電子機器とを含む給電システムが知られている。このような給電システムにおいて、給電装置から供給される電力を用いて、電池の充電を行う電子機器が知られている（特許文献１）。
【先行技術文献】
【特許文献】
【０００３】
【特許文献１】特開２０１０−３９２８３号公報
【発明の概要】
【発明が解決しようとする課題】
【０００４】
このような給電システムにおいて、給電装置と電子機器との間で通信を行い、給電装置と電子機器が通信結果を用いて、同じタイミングで通信から給電に切り替えることについて、考えられていなかった。そのため、給電装置が通信から給電に切り替わり、給電開始しても、電子機器が通信から給電に切り替わっていない場合には、電子機器の通信回路にダメージを与えるという問題があった。
本発明は、上述したような問題点に鑑みてなされたものであり、給電装置および電子機器における通信と給電とを同様のタイミングで切り替えることができるようにすることを目的とする。
【課題を解決するための手段】
【０００５】
本発明は、電子機器に無線給電を行う給電手段と、前記電子機器と無線通信を行う通信手段と、前記給電手段および前記通信手段を制御する制御手段と、を有する給電装置であって、前記制御手段は、給電開始のための処理を起点として、前記電子機器との間で共有する時間である第１の所定時間が経過した後に、前記給電手段による無線給電を開始するように制御することを特徴とする。
【発明の効果】
【０００６】
本発明によれば、給電装置および電子機器における通信と給電とを同様のタイミングで切り替えることができる。
【図面の簡単な説明】
【０００７】
【図１】無線給電システムの構成の一例を示す図である。
【図２】給電装置の構成の一例を示す図である。
【図３】電子機器の構成の一例を示す図である。
【図４】電子機器のタグを示す図である。
【図５】給電装置の状態遷移の一例を示す図である。
【図６】実施例１の給電装置による制御処理の一例を示すフローチャートである。
【図７】実施例１の電子機器による制御処理の一例を示すフローチャートである。
【図８】実施例１の制御処理の一例を示すシーケンスチャートである。
【図９】実施例２の給電装置による制御処理の一例を示すフローチャートである。
【図１０】実施例２の電子機器による制御処理の一例を示すフローチャートである。
【図１１】実施例２の制御処理の一例を示すシーケンスチャートである。
【発明を実施するための形態】
【０００８】
以下、本発明に係る実施例について、図面を参照して説明する。
＜実施例１＞
図１は、給電システム１００の一例を示す図である。
給電システム１００は給電装置２００と電子機器３００とを有する。給電システム１００では、給電装置２００の筺体上における所定の範囲Ａ内に電子機器３００が存在する場合に、給電装置２００が電子機器３００に無線により給電を行う。また、電子機器３００が所定の範囲Ａ内に存在する場合に、電子機器３００が給電装置２００から出力される電力を無線により受け取ることができる。一方、電子機器３００が所定の範囲Ａ内に存在しない場合には、電子機器３００が給電装置２００から電力を受け取ることができない。ここで、所定の範囲Ａとは、給電装置２００が電子機器３００と通信を行うことができる範囲であるものとする。なお、所定の範囲Ａは給電装置２００の筺体上の範囲としたが、これに限られないものとする。また、給電装置２００は、複数の電子機器に対して無線により給電を行うものであってもよいものとする。
【０００９】
図２は、給電装置２００の構成の一例を示す図である。
給電装置２００は、制御部２０１、給電部２０２、メモリ２０８、表示部２０９、操作部２１０、電流検出部２１１、温度検出部２１２および第２の通信部２１３を有する。
制御部２０１はメモリ２０８に記録されているコンピュータプログラムを実行することによって給電装置２００を制御する。制御部２０１は制御手段の一例に対応する。制御部２０１は、例えば、ＣＰＵ（Ｃｅｎｔｒａｌ  Ｐｒｏｃｅｓｓｉｎｇ  Ｕｎｉｔ）やＭＰＵ（Ｍｉｃｒｏ  Ｐｒｏｃｅｓｓｉｎｇ  Ｕｎｉｔ）を含む。なお、制御部２０１はハードウェアにより構成されるものとする。また、制御部２０１は第１のタイマー２０１ａおよび第２のタイマー２０１ｂを有する。
【００１０】
給電部２０２には、電力生成部２０３、検出部２０４、整合回路２０５、第１の通信部２０６および給電アンテナ２０７が含まれる。給電部２０２は、給電手段および通信手段の一例に対応する。
給電部２０２は所定の給電方法に基づいて無線給電を行うために用いられる。ここで、所定の給電方法は、例えば、磁界共鳴方式を用いた給電方法である。磁界共鳴方式とは、給電装置２００と電子機器３００との間で共振が行われる状態において、給電装置２００から電子機器３００に電力を伝送するものである。給電装置２００と電子機器３００との間で共振が行われる状態とは、給電装置２００の給電アンテナ２０７の共振周波数と、電子機器３００の受電アンテナ３０３の共振周波数とが一致している状態である。なお、所定の給電方法は、磁界共鳴方式以外の方式を用いた給電方法であってもよい。
【００１１】
電力生成部２０３は、不図示のＡＣ電源と給電装置２００とが接続されている場合、不図示のＡＣ電源から供給される電力を用いて、給電アンテナ２０７を介して外部に出力するための電力を生成する。
電力生成部２０３によって生成される電力には、通信電力と、所定の電力とがある。通信電力は第１の通信部２０６が電子機器３００と通信を行うために用いられる。通信電力は、例えば、１Ｗ以下の微弱な電力であるものとする。なお、通信電力は第１の通信部２０６の通信規格に規定されている電力であってもよい。所定の電力は電子機器３００が充電や特定の動作を行うために用いられる。所定の電力は、例えば、２Ｗ以上の電力であるものとする。また、所定の電力は通信電力よりも大きい電力であれば、２Ｗ以上の電力に限られないものとする。所定の電力の値は電子機器３００から取得したデータに基づいて、制御部２０１によって設定される。
電力生成部２０３によって生成される電力は、検出部２０４および整合回路２０５を介して給電アンテナ２０７に供給される。
【００１２】
検出部２０４は給電装置２００と電子機器３００との共振の状態を検出するために、電圧定在波比ＶＳＷＲ（Ｖｏｌｔａｇｅ  Ｓｔａｎｄｉｎｇ  Ｗａｖｅ  Ｒａｔｉｏ）を検出する。更に、検出部２０４は検出したＶＳＷＲを示すデータを制御部２０１に供給する。ＶＳＷＲは、給電アンテナ２０７から出力される電力の進行波と、給電アンテナ２０７から出力される電力の反射波との関係を示す値である。制御部２０１は検出部２０４から供給されたＶＳＷＲのデータを用いて、給電装置２００と電子機器３００との共振の状態の変化や異物の存在を検出することができる。異物とは、例えば、金属やＩＣカード等である。なお、異物は、電池を充電するための充電手段を有していない機器や、給電装置２００と通信を行うための通信手段を有していない機器であってもよい。また、異物は、第１の通信部２０６の通信規格に対応していない機器であってもよい。
【００１３】
整合回路２０５は、給電アンテナ２０７の共振周波数を設定する回路と、電力生成部２０３と給電アンテナ２０７との間のインピーダンスマッチングを行うための回路とを含む。
給電装置２００が給電アンテナ２０７を介して通信電力および所定の電力の何れか一つを出力する場合、制御部２０１は給電アンテナ２０７の共振周波数を所定の周波数ｆに設定するように整合回路２０５を制御する。所定の周波数ｆは、例えば、１３．５６ＭＨｚである。また、所定の周波数ｆは、６．７８ＭＨｚであってもよく、第１の通信部２０６の通信規格に規定されている周波数であってもよい。
【００１４】
第１の通信部２０６は、例えば、ＮＦＣ（Ｎｅａｒ  Ｆｉｅｌｄ  Ｃｏｍｍｕｎｉｃａｔｉｏｎ）フォーラムによって規定されているＮＦＣ規格に基づいて無線通信、具体的には近接無線通信を行う。また、第１の通信部２０６の通信規格は、ＩＳＯ／ＩＥＣ  １８０９２規格であってもよく、ＩＳＯ／ＩＥＣ  １４４４３規格であってもよく、ＩＳＯ／ＩＥＣ  ２１４８１規格であってもよい。第１の通信部２０６は通信電力が給電アンテナ２０７から出力されている場合、給電アンテナ２０７を介して電子機器３００と無線給電を行うためのデータの送受信を行うことができる。しかし、所定の電力が給電アンテナ２０７から出力されている期間において、第１の通信部２０６は給電アンテナ２０７を介して電子機器３００と通信を行わないものとする。すなわち、給電部２０２では無線給電と無線通信のうち何れか一方が行われるときに、他方が行われないように制御される。
第１の通信部２０６と電子機器３００との間で送受信するデータは、ＮＤＥＦ（ＮＦＣ  Ｄａｔａ  Ｅｘｃｈａｎｇｅ  Ｆｏｒｍａｔ）に対応するデータである。
第１の通信部２０６は、電子機器３００にＮＤＥＦに対応するデータを送信する場合、電力生成部２０３から供給される通信電力にデータを重畳する処理を行う。データが重畳された通信電力は、給電アンテナ２０７を介して電子機器３００に送信される。
【００１５】
第１の通信部２０６が、電子機器３００からＮＤＥＦに対応するデータを受信する場合、給電アンテナ２０７に流れる電流を検出し、この電流の検出結果に応じて、電子機器３００からデータを受信する。これは、電子機器３００が給電装置２００にＮＤＥＦに対応するデータを送信する場合に、電子機器３００の内部の負荷を変動させることによって、データの送信を行うためである。電子機器３００の内部の負荷が変化した場合、給電アンテナ２０７に流れる電流が変化するので、第１の通信部２０６は給電アンテナ２０７に流れる電流を検出することで、電子機器３００からＮＤＥＦに対応するデータを受信することができる。
なお、第１の通信部２０６は、ＮＦＣ規格に規定されているリーダライタとして動作するものとする。
【００１６】
給電アンテナ２０７は通信電力および所定の電力の何れか一つを電子機器３００に出力するためのアンテナである。また、給電アンテナ２０７は第１の通信部２０６がＮＦＣ規格を用いた無線通信を電子機器３００と行うために用いられる。
メモリ２０８は給電装置２００を制御するためのコンピュータプログラムを記録する。更に、メモリ２０８は給電装置２００の識別データ、給電装置２００に関する給電パラメータや給電を制御するためのフラグ等を記録する。また、メモリ２０８は電子機器３００から第１の通信部２０６および第２の通信部２１３の少なくとも一つが取得したデータを記録する。
【００１７】
表示部２０９はメモリ２０８および第２の通信部２１３から供給される映像データを表示する。
操作部２１０は給電装置２００を操作するためのユーザインターフェースを提供する。操作部２１０は給電装置２００を操作するためのボタン、スイッチやタッチパネル等を有する。制御部２０１は操作部２１０を介して入力された入力信号に従って給電装置２００を制御する。
【００１８】
電流検出部２１１は給電アンテナ２０７に流れる電流を検出し、検出した電流を示すデータを制御部２０１に供給する。制御部２０１は電流検出部２１１から供給された電流のデータを用いて、異物の存在を検出することができる。
温度検出部２１２は給電装置２００の温度を検出し、検出した温度を示すデータを制御部２０１に供給する。制御部２０１は温度検出部２１２から供給された温度のデータを用いて、異物の存在を検出することができる。なお、温度検出部２１２によって検出される給電装置２００の温度は、給電装置２００内部の温度であってもよく、給電装置２００の表面の温度であってもよい。
【００１９】
第２の通信部２１３は第１の通信部２０６の通信規格と異なる通信規格に基づいて電子機器３００と無線通信を行う。第２の通信部２１３の通信規格は、例えば、無線ＬＡＮ（Ｗｉｒｅｌｅｓｓ  Ｌｏｃａｌ  Ａｒｅａ  Ｎｅｔｗｏｒｋ）規格やＢｌｕｅ  Ｔｏｏｔｈ（登録商標）規格である。第２の通信部２１３は給電装置２００と電子機器３００との間で映像データ、音声データおよびコマンドの少なくとも一つを含むデータを送信したり、受信したりすることができる。
給電装置２００は無線により電力を電子機器３００に供給するようにしたが、「無線」を「非接触」や「無接点」と言い換えてもよいものとする。
【００２０】
図３（ａ）は、電子機器３００の構成の一例を示す図である。
電子機器３００は撮像装置や再生装置であってもよく、携帯電話やスマートフォンのような通信装置であってもよいものとする。また、電子機器３００は電池を含む電池パックであってもよい。また、電子機器３００は自動車やディスプレイであってもよく、パーソナルコンピュータであってもよい。
電子機器３００は、制御部３０１、受電部３０２、電力検出部３０７、レギュレータ３０８、負荷部３０９、充電部３１０、電池３１１、温度検出部３１２、メモリ３１３、操作部３１４および第２の通信部３１５を有する。
制御部３０１はメモリ３１３に記録されているコンピュータプログラムを実行することによって電子機器３００を制御する。制御部３０１は制御手段の一例に対応する。制御部３０１は、例えば、ＣＰＵやＭＰＵを含む。なお、制御部３０１はハードウェアにより構成されるものとする。また、制御部３０１はタイマー３０１ａを有する。
【００２１】
受電部３０２には、受電アンテナ３０３、整合回路３０４、整流平滑回路３０５および第１の通信部２０６が含まれる。受電部３０２は、受電手段および通信手段の一例に対応する。
受電部３０２は所定の給電方法に対応し、給電装置２００から電力を無線により受け取るために用いられる。
受電アンテナ３０３は給電装置２００から供給される電力を受け取るためのアンテナである。また、受電アンテナ３０３は第１の通信部３０６がＮＦＣ規格を用いた無線通信を給電装置２００と行うために用いられる。受電アンテナ３０３を介して給電装置２００から電子機器３００が受け取った電力は、整合回路３０４を介して整流平滑回路３０５に供給される。
【００２２】
整合回路３０４は受電アンテナ３０３の共振周波数を設定する回路を含む。制御部３０１は整合回路３０４を制御することによって受電アンテナ３０３の共振周波数を設定することができる。
図３（ｂ）は、整合回路３０４の構成の一例を示すブロック図である。
整合回路３０４は共振素子３２１（３２１ａ、３２１ｂ）、整流平滑回路側のスイッチ部３２２、および、通信部側のスイッチ部３２３を有する。共振素子３２１と受電アンテナ３０３は、給電装置２００から出力される交流電力の周波数ｆで共振する。
共振素子３２１は受電アンテナ３０３がコイル（インダクタ素子）の場合は、コンデンサ（キャパシタ素子）である。本実施例ではコンデンサとして説明する。また、共振素子３２１はコンデンサ以外にもインダクタも有するように構成してもよい。
スイッチ部３２２、３２３は、受電アンテナ３０３を、整流平滑回路３０５と第１の通信部２０６との何れかの接続先に切り替える。また、スイッチ部３２２、３２３は受電アンテナ３０３と共振素子３２１の構成も切り替える。例えば、受電アンテナ３０３に対して共振素子３２１が並列に接続したり、直列に接続したりするよう切り替えを行う。
スイッチ部３２２、３２３は例えば１つ以上のＦＥＴ等で構成される。また、ＦＥＴ以外にもリレースイッチであってもよい。
スイッチ部３２２、３２３は制御部３０１と接続しており、制御部３０１からの制御信号により、スイッチのオン／オフを行う。
【００２３】
整流平滑回路側のスイッチ部３２２は整流平滑回路３０５と共振素子３２１との間に接続される。また、整流平滑回路側のスイッチ部３２２は整流平滑回路３０５の入力端同士に接続される。制御部３０１によりスイッチ部３２２がオンされると、スイッチ部３２２は整流平滑回路３０５をショートするように接続される。したがって、スイッチ部３２２がオンの場合は整流平滑回路３０５に電力が入力されず、スイッチ部３２２がオフの場合は整流平滑回路３０５に電力が通る。
通信部側のスイッチ部３２３は第１の通信部３０６と受電アンテナ３０３との間に接続される。通信部側のスイッチ部３２３がオンの場合は通信部に電力が入力される。よってスイッチ部３２２、３２３がオンの場合は整流平滑回路３０５には電力が入力されず、第１の通信部３０６に電力が入力される。一方、スイッチ部３２２、３２３がオフの場合は第１の通信部３０６に電力が入力されず、整流平滑回路３０５に電力が入力される。
制御部３０１は通信期間と給電期間を判断し、通信時にはスイッチ部３２２、３２３をオンにし、給電時はスイッチ部３２２、３２３をオフするように制御する。制御部３０１が通信と給電とを判断する方法として、例えば、キャリアを検出してからの所定の時間で通信と給電を判断する方法などがある。このように、制御部３０１では無線給電と無線通信のうち何れか一方が行われるときに、他方が行われないように受電部３０２を制御する。
なお、図３（ｂ）に示す第１の通信部３０６と整流平滑回路３０５の配置を逆にし、スイッチ部３２２を共振素子３２１と第１の通信部３０６との間に配置し、整流平滑回路３０５と受電アンテナ３０３の間にスイッチ部３２３を配置してもよい。
【００２４】
整流平滑回路３０５は受電アンテナ３０３によって受電された電力から直流電力を生成する。更に、整流平滑回路３０５は生成した直流電力を電力検出部３０７を介してレギュレータ３０８に供給する。受電アンテナ３０３によって受電された電力にデータが重畳されている場合、整流平滑回路３０５は受電アンテナ３０３によって受電された電力から取り除かれたデータを第１の通信部３０６に供給する。
【００２５】
第１の通信部３０６は第１の通信部２０６と同一の通信規格に基づいて給電装置２００と通信を行う。第１の通信部３０６はメモリ３０６ａを有する。メモリ３０６ａには、ＷＰＴ（Ｗｉｒｅｌｅｓｓ  Ｐｏｗｅｒ  Ｔｒａｎｓｆｅｒ）用ＲＴＤ（Ｒｅｃｏｒｄ  Ｔｙｐｅ  Ｄｅｆｉｎｉｔｏｎ）データ４００が記録されている。ＷＰＴ用ＲＴＤデータ４００には、ＮＤＥＦに対応するデータが複数格納されている。ＷＰＴ用ＲＴＤデータ４００には、給電装置２００と電子機器３００との間で無線給電を行うために必要なデータが格納される。
ＷＰＴ用ＲＴＤデータ４００には、少なくとも無線給電の認証を給電装置２００と行うために用いられる認証データが格納されている。認証データには、レコードタイプ名、電子機器３００が対応している給電方法や給電の制御プロトコルを示すデータ、電子機器３００の識別データ、電子機器３００の受電能力データ、電子機器３００が有するタグの種類を示すデータ等が含まれる。レコードタイプ名とは、ＷＰＴ用ＲＴＤデータ４００に格納されているデータの内容や構造を識別するためのレコードタイプ（ｒｅｃｏｒｄ  ｔｙｐｅ）を示すデータである。レコードタイプ名（ｒｅｃｏｒｄ  ｔｙｐｅ  ｎａｍｅ）はＷＰＴ用ＲＴＤデータ４００を識別するためのデータである。受電能力データは電子機器３００の受電能力を示すデータであり、例えば、電子機器３００の受電可能な電力の最大値を示す。
ＷＰＴ用ＲＴＤデータ４００には、さらに受電ステータスデータや給電ステータスデータが格納されていてもよい。受電ステータスデータには、電子機器３００の状態を示すデータが含まれる。例えば、受電ステータスデータには、給電装置２００に要求する要求電力の値、電子機器３００が給電装置２００から受け取った電力の値、電池３１１の残容量や電池３１１の充電に関するデータ、電子機器３００のエラーに関するエラーデータ等が含まれる。エラーデータには、電子機器３００にエラーが発生しているか否かを示すデータと、エラーの種類を示すデータとが含まれる。給電ステータスデータには、給電装置２００の状態を示すデータが含まれる。例えば、給電ステータスデータには、給電装置２００の識別データ、給電装置２００が電子機器３００への所定の電力の伝送を開始するか否かを示すデータ、給電装置２００で設定された給電パラメータ等が含まれる。
【００２６】
第１の通信部３０６は整流平滑回路３０５から供給されたデータを解析する。その後、第１の通信部３０６は、データの解析結果を用いて、ＷＰＴ用ＲＴＤデータ４００から読み出したデータを給電装置２００に送信したり、給電装置２００から受信したデータをＷＰＴ用ＲＴＤデータ４００に書き込んだりする。更に、第１の通信部３０６は整流平滑回路３０５から供給されたデータに対応する応答データを給電装置２００に送信する。
第１の通信部３０６はＷＰＴ用ＲＴＤデータ４００から読み出したデータや応答データを給電装置２００に送信するために、第１の通信部３０６内部の負荷を変動させる処理を行う。
【００２７】
電子機器３００はＮＦＣ規格に規定されているタグを備えるものとする。
図４を参照し、電子機器３００が備えるＮＦＣタグについて説明を行う。制御部３０１は、不図示の内部バスインターフェースを介してＷＰＴ用ＲＴＤデータ４００に格納されているデータを読み出すことができる。更に、制御部２０１は、不図示の内部バスインターフェースを介してＷＰＴ用ＲＴＤデータ４００にデータを書き込むことができる。
制御部３０１は、例えば、ＷＰＴ用ＲＴＤデータ４００から読み出された給電ステータスデータを用いて電子機器３００の各部を制御することができる。制御部３０１は、例えば、電子機器３００の各部から供給されるデータを用いて受電ステータスデータを定期的に検出し、検出した受電ステータスデータをＷＰＴ用ＲＴＤデータ４００に書き込むことができる。なお、電子機器３００が備えるタグは、「アクティブタグ」や「ダイナミックタグ」と言い換えてもよいものとする。電子機器３００がタグを有する場合におけるＷＰＴ用ＲＴＤデータ４００には、識別データ、受電ステータスデータおよび給電ステータスデータが格納される。
なお、給電装置２００は第１の通信部２０６を用いてＷＰＴ用ＲＴＤデータ４００に格納されているデータを読み出すことができる。更に、この場合、給電装置２００は第１の通信部２０６を用いてデータをＷＰＴ用ＲＴＤデータ４００に書き込むこともできる。
【００２８】
電力検出部３０７は受電アンテナ３０３を介して受け取った電力を検出し、検出した電力を示すデータを制御部３０１に供給する。
制御部３０１は電力検出部３０７から供給された電力のデータを用いて、電子機器３００に第１のエラーが発生しているか否かを判定する。第１のエラーとは、例えば、電子機器３００の受電可能な電力の最大値よりも大きい電力を電子機器３００が給電装置２００から受け取った場合に発生するエラーである。例えば、制御部３０１は電子機器３００の受電可能な電力の最大値と、電力検出部３０７で検出された電力の値とを比較し、比較の結果を用いて、電子機器３００に第１のエラーが発生しているか否かを判定する。電力検出部３０７で検出された電力が電子機器３００の受電可能な電力の最大値よりも大きい場合、制御部３０１は第１のエラーが電子機器３００に発生していると判定する。電力検出部３０７で検出された電力が電子機器３００の受電可能な電力の最大値以下である場合、制御部３０１は第１のエラーが電子機器３００に発生していないと判定する。第１のエラーが電子機器３００に発生していると判定された場合、制御部３０１は電子機器３００にエラーが発生していることを示すデータと、第１のエラーを示すデータとを含む受電ステータスデータをＷＰＴ用ＲＴＤデータ４００に書き込む。
【００２９】
更に、制御部３０１は電力検出部３０７から供給された電力のデータを用いて、電子機器３００に第２のエラーが発生しているか否かを判定する。第２のエラーとは、例えば、電子機器３００が給電装置２００に対して要求する要求電力に対して電子機器３００が給電装置２００から受け取った電力が足りない場合に発生するエラーである。例えば、制御部３０１は要求電力の値と、電力検出部３０７で検出された電力の値とを比較し、比較の結果を用いて、電子機器３００に第２のエラーが発生しているか否かを判定する。電力検出部３０７で検出された電力の値が、要求電力の値よりも小さい場合、制御部３０１は第２のエラーが電子機器３００に発生していると判定する。電力検出部３０７で検出された電力の値が、要求電力の値以上である場合、制御部３０１は第２のエラーが電子機器３００に発生していないと判定する。第２のエラーが電子機器３００に発生していると判定された場合、制御部３０１は電子機器３００にエラーが発生していることを示すデータと、第２のエラーを示すデータとを含む受電ステータスデータをＷＰＴ用ＲＴＤデータ４００に書き込む。
【００３０】
レギュレータ３０８は制御部３０１からの指示に応じて、整流平滑回路３０５から供給される電力および電池３１１から供給される電力の少なくとも一つを電子機器３００の負荷部３０９を含む各部に供給する。
負荷部３０９は被写体の光学像から静止画や動画等の映像データの生成を行う撮像回路や映像データの再生を行う再生回路等を有する。
充電部３１０は電池３１１を充電する。充電部３１０は制御部３０１からの指示に応じて、レギュレータ３０８から供給される電力を用いて電池３１１を充電するか、電池３１１から放電される電力をレギュレータ３０８に供給するかを制御する。充電部３１０は定期的に電池３１１の残容量を検出し、電池３１１の残容量を示すデータや電池３１１の充電に関するデータを制御部３０１に供給する。
【００３１】
電池３１１は電子機器３００に接続可能な電池である。また、電池３１１は、充電可能な二次電池であり、例えば、リチウムイオン電池等である。なお、電池３１１はリチウムイオン電池以外のものであってもよい。
制御部３０１は電子機器３００と電池３１１とが接続されているか否かに応じて、電子機器３００に第３のエラーが発生しているか否かを判定する。第３のエラーとは、例えば、電子機器３００に電池３１１が接続されていない場合に発生するエラーである。電子機器３００と電池３１１とが接続されていない場合、制御部３０１は電子機器３００に第３のエラーが発生していると判定する。電子機器３００と電池３１１とが接続されている場合、制御部３０１は電子機器３００に第３のエラーが発生していないと判定する。第３のエラーが電子機器３００に発生していると判定された場合、制御部３０１は電子機器３００にエラーが発生していることを示すデータと、第３のエラーを示すデータとを含む受電ステータスデータをＷＰＴ用ＲＴＤデータ４００に書き込む。
【００３２】
温度検出部３１２は電子機器３００の温度を検出し、検出した温度を示すデータを制御部３０１に供給する。
制御部３０１は温度検出部３１２から供給された温度のデータを用いて、電子機器３００に第４のエラーが発生しているか否かを判定する。第４のエラーとは、例えば、電子機器３００内の温度が高温になった場合に発生するエラーである。制御部３０１は、設定値と、温度検出部３１２で検出された温度とを比較し、比較の結果を用いて、電子機器３００に第４のエラーが発生しているか否かを判定する。設定値は、例えば、電池３１１の充電を正常に行うために設定されている温度の上限値である。また、設定値は、例えば、受電部３０２や負荷部３０９を保護するために設定されている温度の上限値であってもよい。温度検出部３１２で検出された温度が設定値よりも高い場合、制御部３０１は第４のエラーが電子機器３００に発生していると判定する。温度検出部３１２で検出された温度が設定値以下である場合、制御部３０１は第４のエラーが電子機器３００に発生していないと判定する。第４のエラーが電子機器３００に発生していると判定された場合、制御部３０１は電子機器３００にエラーが発生していることを示すデータと、第４のエラーを示すデータとを含む受電ステータスデータをＷＰＴ用ＲＴＤデータ４００に書き込む。
【００３３】
メモリ３１３は電子機器３００を制御するコンピュータプログラムおよび電子機器３００に関するパラメータ等のデータを記憶する。
操作部３１４は電子機器３００を操作するためのユーザインターフェースを提供する。制御部３０１は操作部３１４を介して入力された入力信号に従って電子機器３００を制御する。
第２の通信部３１５は給電装置２００と無線通信を行う。なお、第２の通信部３１５は、例えば、第２の通信部２１３と同一の通信規格に基づいて、給電装置２００と無線通信を行う。
【００３４】
（給電装置２００の状態遷移図）
次に、実施例１における給電装置２００の状態の遷移について図５を用いて説明する。
図５に示すように、給電装置２００は状態５００〜状態５０４に遷移する。
状態５００は、不図示のＡＣ電源と給電装置２００とが接続されている状態で、かつ、給電装置２００の電源がオフの状態である。給電装置２００が状態５００の場合に、操作部２１０を用いて給電装置２００の電源がオンにされたとき、給電装置２００は状態５０１に遷移する。
【００３５】
状態５０１において、給電装置２００はＷＰＴ用ＲＴＤデータを検出する処理を行う。給電装置２００が状態５０１である場合に、給電装置２００の電源がオフにされたとき、給電装置２００は状態５００に遷移する。給電装置２００が状態５０１である場合に、給電装置２００がＷＰＴ用ＲＴＤデータを検出したとき、給電装置２００は状態５０２に遷移する。給電装置２００が無線給電のＷＰＴ用ＲＴＤデータを検出していない場合、給電装置２００はＷＰＴ用ＲＴＤデータを検出するまで状態５０１を維持する。
【００３６】
状態５０２において、給電装置２００は検出したＷＰＴ用ＲＴＤデータを解析する処理を行う。給電装置２００が状態５０２である場合に、ＷＰＴ用ＲＴＤデータの解析の結果、給電装置２００と電子機器３００との無線給電の認証が成功したとき、給電装置２００は状態５０３に遷移する。給電装置２００が状態５０２である場合に、無線給電に関するエラーが発生した場合、給電装置２００は状態５０１に遷移する。無線給電に関するエラーとは、例えば、給電装置２００と電子機器３００との通信に関する通信エラー、異物に関するエラー、電子機器３００に関するエラー、給電装置２００と電子機器３００との無線給電の認証に関する認証エラー等である。
【００３７】
状態５０３において、給電装置２００は無線給電を行うために必要なステータスデータを電子機器３００と交換する処理を行う。給電装置２００が状態５０３である場合、給電装置２００は電子機器３００から受電ステータスデータを受信し、電子機器３００に給電ステータスデータを送信する。給電装置２００が状態５０３である場合に、ステータスデータの交換が完了したとき、給電装置２００は状態５０４に遷移する。給電装置２００が状態５０３である場合に、無線給電に関するエラーが発生した場合、給電装置２００は状態５０１に遷移する。給電装置２００が状態５０３である場合に、電子機器３００の充電が完了したことが検出された場合、給電装置２００は状態５０１に遷移する。
【００３８】
状態５０４において、給電装置２００は所定の電力を電子機器３００に供給するための給電処理を行う。給電装置２００が状態５０４である場合に、無線給電に関するエラーが発生したとき、給電装置２００は状態５０４から状態５０３に遷移する。給電装置２００が状態５０４である場合に、所定の電力の出力が開始されてから所定の時間が経過した後、給電装置２００は状態５０３に遷移する。
【００３９】
（給電装置による制御処理）
次に、給電装置２００の無線給電を制御するための制御処理について、図６のフローチャートを用いて説明する。図６に示す制御処理は、制御部２０１がメモリ２０８に格納されているコンピュータプログラムを実行することにより実現することができる。図６のフローチャートは、給電装置２００の操作部２１０を用いて給電装置２００の電源がオンにされたときに開始する。
Ｓ６０１において、制御部２０１は通信電力を出力するように給電部２０２を制御する。なお、制御部２０１は所定の電力を出力する処理を開始するまで、通信電力が給電アンテナ２０７を介して出力されるようにする。次に、制御部２０１はＳ６０２に進む。
Ｓ６０２において、制御部２０１は電子機器３００に対して認証データを要求する認証リクエストデータを送信するように第１の通信部２０６を制御する。次に、制御部２０１はＳ６０３に進む。
【００４０】
Ｓ６０３において、制御部２０１は電子機器３００から第１の通信部２０６が認証レスポンスデータを受信したか否かを判定する。制御部２０１は第１の通信部２０６が電子機器３００から認証レスポンスデータを受信したと判定した場合にはＳ６０４に進む。一方、制御部２０１は第１の通信部２０６が電子機器３００から認証レスポンスデータを受信していないと判定した場合にはＳ６０３に戻り、認証レスポンスデータの受信を待つ。
認証レスポンスデータには、レコードタイプ名、電子機器３００が対応している給電方法や給電の制御プロトコルを示すデータ、電子機器３００の識別データ、電子機器３００の受電能力データ、電子機器３００が有するタグの種類を示すデータ等が含まれる。レコードタイプ名とは、ＷＰＴ用ＲＴＤデータ４００に格納されているデータの内容や構造を識別するためのレコードタイプ（ｒｅｃｏｒｄ  ｔｙｐｅ）を示すデータである。レコードタイプ名（ｒｅｃｏｒｄ  ｔｙｐｅ  ｎａｍｅ）はＷＰＴ用ＲＴＤデータ４００を識別するためのデータである。受電能力データは電子機器３００の受電能力を示すデータであり、例えば、電子機器３００の受電可能な電力の最大値を示す。
【００４１】
Ｓ６０４において、制御部２０１はＷＰＴ用ＲＴＤデータ４００を検出したか否かを判定する。第１の通信部２０６が電子機器３００から認証レスポンスデータを受信した場合、制御部２０１は電子機器３００の認証レスポンスデータから電子機器３００のレコードタイプ名を取得する。その後、制御部２０１は電子機器３００のレコードタイプ名に基づいて、ＷＰＴ用ＲＴＤデータ４００を検出したか否かを判定する。制御部２０１はＷＰＴ用ＲＴＤデータ４００を検出したと判定した場合（Ｓ６０４でＹｅｓ）にはＳ６０５に進む。一方、制御部２０１はＷＰＴ用ＲＴＤデータ４００を検出していないと判定した場合（Ｓ６０４でＮｏ）にはフローチャートを終了する。
Ｓ６０５において、制御部２０１は電子機器３００の認証レスポンスデータに含まれるデータを確認することで電子機器３００のＷＰＴ用ＲＴＤデータ４００を解析する。次に、制御部２０１はＳ６０６に進む。
【００４２】
Ｓ６０６において、制御部２０１はＳ６０５の解析結果を用いて、電子機器３００が給電装置２００に対応しているか否かを判定する。
例えば、制御部２０１は給電装置２００が対応している給電方法と電子機器３００が対応している給電方法とが一致している場合には電子機器３００が給電装置２００に対応していると判定する。また、制御部２０１は給電装置２００が対応している給電方法と電子機器３００が対応している給電方法とが一致していない場合には電子機器３００が給電装置２００に対応していないと判定する。
また、例えば、制御部２０１は給電装置２００が対応している給電の制御プロトコルと電子機器３００が対応している給電の制御プロトコルとが一致している場合には電子機器３００が給電装置２００に対応していると判定する。また、給電装置２００が対応している給電の制御プロトコルと電子機器３００が対応している給電の制御プロトコルとが一致していない場合には電子機器３００が給電装置２００に対応していないと判定する。
制御部２０１は電子機器３００が給電装置２００に対応していないと判定した場合（Ｓ６０６でＮｏ）にはフローチャートを終了する。一方、制御部２０１は電子機器３００が給電装置２００に対応していると判定した場合（Ｓ６０６でＹｅｓ）にはＳ６０７に進む。
【００４３】
Ｓ６０７において、制御部２０１は電子機器３００に対してステータスデータを要求するステータスリクエストデータを送信するように第１の通信部２０６を制御する。次に、制御部２０１はＳ６０８に進む。
ステータスリクエストデータには、給電装置２００の状態を示すデータが含まれる。例えば、ステータスリクエストデータには、給電装置２００の識別データ、給電装置２００が電子機器３００への所定の電力の伝送を開始するか否かを示すデータ、給電装置２００で設定された給電パラメータ等が含まれる。
【００４４】
Ｓ６０８において、制御部２０１は第１の通信部２０６が電子機器３００からステータスレスポンスデータを受信したか否かを判定する。制御部２０１は第１の通信部２０６が電子機器３００からステータスレスポンスデータを受信したと判定した場合にはＳ６０９に進む。一方、制御部２０１は第１の通信部２０６が電子機器３００からステータスレスポンスデータを受信していないと判定した場合にはＳ６０８に戻り、ステータスレスポンスデータの受信を待つ。
ステータスレスポンスデータには、電子機器３００の状態を示すデータが含まれる。例えば、ステータスレスポンスデータには、給電装置２００に要求する要求電力の値、電子機器３００が給電装置２００から受け取った電力の値、電池３１１の残容量や電池３１１の充電に関するデータ、電子機器３００のエラーに関するエラーデータ等が含まれる。エラーデータには、電子機器３００にエラーが発生しているか否かを示すデータと、エラーの種類を示すデータとが含まれる。
【００４５】
Ｓ６０９において、制御部２０１は第１の通信部２０６が受信したステータスレスポンスデータを用いて、電子機器３００にエラーが発生しているか否かを判定する。例えば、制御部２０１は電子機器３００のステータスレスポンスデータからエラーデータを検出し、エラーデータを解析することで、電子機器３００にエラーが発生しているか否かを判定する。
制御部２０１は電子機器３００にエラーが発生していると判定した場合（Ｓ６０９でＹｅｓ）にはフローチャートを終了する。一方、制御部２０１は電子機器３００にエラーが発生していないと判定した場合（Ｓ６０９でＮｏ）にはＳ６１０に進む。
ここで、Ｓ６０１からＳ６０９までの処理は、給電装置２００における、給電装置２００から電子機器３００への給電開始のための一連の処理（トランザクション）の一例に対応する。
【００４６】
Ｓ６１０において、制御部２０１は電子機器３００からステータスレスポンスデータを受信したときを起点として、経過した時間を計測するように第１のタイマー２０１ａおよび第２のタイマー２０１ｂを制御する。次に、制御部２０１はＳ６１１に進む。
Ｓ６１１において、制御部２０１は第１のタイマー２０１ａによって計測された時間に基づいて、電子機器３００からステータスレスポンスデータを受信してから所定の時間Ｔ１が経過したか否かを判定する。所定の時間Ｔ１は第１の所定時間の一例に対応する。制御部２０１は第１のタイマー２０１ａによって計測された時間が所定の時間Ｔ１以上である場合には、電子機器３００からステータスレスポンスデータを受信してから所定の時間Ｔ１が経過したと判定して（Ｓ６１１でＹｅｓ）、Ｓ６１２に進む。一方、制御部２０１は第１のタイマー２０１ａによって計測された時間が所定の時間Ｔ１以上ではない場合には、電子機器３００からステータスレスポンスデータを受信してから所定の時間Ｔ１が経過していないと判定して（Ｓ６１１でＮｏ）、Ｓ６１１に戻る。
【００４７】
（Ｔ１の決定方法）
ここで、所定の時間Ｔ１の決定方法について説明する。
所定の時間Ｔ１は、給電装置２００と電子機器３００とにおいて共有する値である。
所定の時間Ｔ１は、給電装置２００の制御部２０１が給電部２０２による出力電力が所定の大きさに達するまでの速度（無線給電の立ち上がり速度）に基づいて決定することができる。例えば、給電部２０２による出力電力が所定の大きさに達するまでの速度が速いときには所定の時間Ｔ１は短く設定され、給電部２０２による出力電力が所定の大きさに達するまでの速度が遅いときには所定の時間Ｔ１は長く設定される。
なお、Ｓ６０７において、制御部２０１は電子機器３００に対してステータスデータを要求するステータスリクエストデータを送信する際にステータスリクエストデータに所定の時間Ｔ１の情報を含めることができる。
【００４８】
Ｓ６１２において、制御部２０１は所定の大きさの給電電力を出力するように給電部２０２を制御する。すなわち、制御部２０１は所定の時間Ｔ１が経過した後に、無線給電を開始するように制御する。次に、制御部２０１はＳ６１３に進む。
Ｓ６１３において、制御部２０１は第２のタイマー２０１ｂによって計測された時間に基づいて、電子機器３００からステータスレスポンスデータを受信してから所定の時間Ｔ２が経過する前に、給電電力の出力を停止するように給電部２０２を制御する。所定の時間Ｔ２は第２の所定時間の一例に対応する。なお、制御部２０１は所定の時間Ｔ２の終点に近いタイミングあるいは終点と同じタイミングで給電電力の出力を停止するように給電部２０２を制御することが好ましい。その後、制御部２０１はフローチャートを終了する。
【００４９】
（Ｔ２の決定方法）
ここで、所定の時間Ｔ２の決定方法について説明する。
所定の時間Ｔ２は、給電装置２００と電子機器３００とにおいて共有する値である。
所定の時間Ｔ２は、Ｓ６０８において、制御部２０１が電子機器３００からステータスレスポンスデータとして受信した値を利用することができる。
【００５０】
（電子機器による制御処理）
次に、電子機器３００の無線給電を制御するための制御処理について、図７のフローチャートを用いて説明する。図７に示す制御処理は、制御部３０１がメモリ３１３に格納されているコンピュータプログラムを実行することにより実現することができる。図７のフローチャートは、電子機器３００の操作部３１４を用いて電子機器３００の電源がオンにされたときに開始する。
Ｓ７０１において、制御部３０１は通信回路、すなわち第１の通信部３０６を有効とし、受電回路、すなわち整流平滑回路３０５以下の回路を無効とする。具体的には、制御部３０１は図３（ｂ）に示すスイッチ部３２２、３２３をオンにするように制御する。次に、制御部３０１はＳ７０２に進む。
【００５１】
Ｓ７０２において、制御部３０１は第１の通信部３０６を制御して、給電装置２００から認証リクエストデータを受信したか否かを判定する。制御部３０１は認証リクエストデータを受信したと判定した場合（Ｓ７０２でＹｅｓ）にはＳ７０３に進む。一方、制御部３０１は認証リクエストデータを受信していないと判定した場合（Ｓ７０２でＮｏ）にはＳ７０２に戻り、認証リクエストデータの受信を待つ。
【００５２】
Ｓ７０３において、制御部３０１は第１の通信部３０６を制御して、給電装置２００に対して認証レスポンスデータを送信する。次に、制御部３０１はＳ７０４に進む。
Ｓ７０４において、制御部３０１は第１の通信部３０６を制御して、給電装置２００からステータスリクエストデータを受信したか否かを判定する。制御部３０１はステータスリクエストデータを受信したと判定した場合（Ｓ７０４でＹｅｓ）には、Ｓ７０５に進む。一方、制御部３０１はステータスリクエストデータを受信していないと判定した場合（Ｓ７０４でＮｏ）にはＳ７０４に戻り、ステータスリクエストデータの受信を待つ。
なお、ステータスリクエストデータには、給電装置２００が決定した所定の時間Ｔ１の情報が含まれることがある。
【００５３】
Ｓ７０５において、制御部３０１は第１の通信部３０６を制御して、給電装置２００に対してステータスレスポンスデータを送信する。次に、制御部３０１はＳ７０６に進む。
ここで、Ｓ７０１からＳ７０５までの処理は、電子機器３００における、給電装置２００から電子機器３００への給電開始のための一連の処理（トランザクション）の一例に対応する。
【００５４】
Ｓ７０６において、制御部３０１は給電装置２００にステータスレスポンスデータを送信したときを起点として、経過した時間を計測するようにタイマー３０１ａを制御する。次に、制御部３０１はＳ７０７に進む。
Ｓ７０７において、制御部３０１は通信回路、すなわち第１の通信部３０６を無効とし、受電回路、すなわち整流平滑回路３０５以下の回路を有効とする。具体的には、制御部３０１は図３（ｂ）に示すスイッチ部３２２、３２３をオフにするように制御する。したがって、電子機器３００は給電装置２００から給電可能な状態に遷移する。次に、制御部３０１はＳ７０８に進む。
ここで、制御部３０１は給電装置２００にステータスレスポンスデータを送信してから、すなわちタイマー３０１ａを開始してから、所定の時間Ｔ１が経過するまでにＳ７０７の処理を完了するように制御する。
【００５５】
（Ｔ１の決定方法）
上述したように、所定の時間Ｔ１は、給電装置２００と電子機器３００とにおいて共有する値である。所定の時間Ｔ１の情報は、給電装置２００が電子機器３００にステータスリクエストデータとして送信することにより、給電装置２００と電子機器３００により共有することができる。
【００５６】
Ｓ７０８において、制御部３０１はタイマー３０１ａによって計測された時間に基づいて、給電装置２００にステータスレスポンスデータを送信してから所定の時間Ｔ２が経過したか否かを判定する。制御部３０１はタイマー３０１ａによって計測された時間が所定の時間Ｔ２以上である場合には、給電装置２００にステータスレスポンスデータを送信してから所定の時間Ｔ２が経過したと判定して（Ｓ７０８でＹｅｓ）、Ｓ７０９に進む。一方、制御部３０１はタイマー３０１ａによって計測された時間が所定の時間Ｔ２以上ではない場合には、給電装置２００にステータスレスポンスデータを送信してから所定の時間Ｔ２が経過していないと判定して（Ｓ７０８でＮｏ）、Ｓ７０８に戻る。
【００５７】
（Ｔ２の決定方法）
上述したように所定の時間Ｔ２は、給電装置２００と電子機器３００とにおいて共有する値である。所定の時間Ｔ２は、無線給電に関する時間であって、電子機器３００の制御部３０１が受電能力データ、電池３１１の残容量、電池３１１の充電に関するデータ、給電装置２００の給電パラメータ等に基づいて決定することができる。例えば、電池３１１の残容量が小さければ所定の時間Ｔ２は長く、電池３１１の残容量が大きければ所定の時間Ｔ２は短く設定することができる。
所定の時間Ｔ２の情報は、Ｓ７０５において、電子機器３００が給電装置２００にステータスレスポンスデータとして送信することにより、給電装置２００と電子機器３００により共有することができる。
【００５８】
Ｓ７０９において、制御部３０１は通信回路、すなわち第１の通信部３０６を有効とし、受電回路、すなわち整流平滑回路３０５以下の回路を無効とする。具体的には、制御部３０１は図３（ｂ）に示すスイッチ部３２２、３２３をオンにするように制御する。したがって、電子機器３００は給電装置２００と通信可能な状態に遷移する。その後、制御部３０１はフローチャートを終了する。
【００５９】
（シーケンスチャートによる説明）
次に、給電装置２００および電子機器３００の無線給電を制御するための制御処理について、図８のシーケンスチャートを用いて説明する。
Ｓ７０１において、電子機器３００の制御部３０１は通信回路を有効とし、受電回路を無効とする。
Ｓ６０１において、給電装置２００の制御部２０１は通信電力を出力するように給電部２０２を制御する。
Ｓ６０７において、給電装置２００の制御部２０１は電子機器３００に対してステータスデータを要求するステータスリクエストデータを送信するように第１の通信部２０６を制御する。
Ｓ７０４において、電子機器３００の制御部３０１は第１の通信部３０６を制御して、給電装置２００からステータスリクエストデータを受信する。
【００６０】
Ｓ７０５において、電子機器３００の制御部３０１は第１の通信部３０６を制御して、給電装置２００に対してステータスレスポンスデータを送信する。
電子機器３００の制御部３０１は、給電装置２００に対してステータスレスポンスデータを送信した後に、所定期間８０１経過後にＳ７０７の処理を行う。ここで、所定期間８０１は、給電装置２００と電子機器３００が共有する所定の時間Ｔ１以内であるとする。
Ｓ７０７において、電子機器３００の制御部３０１は通信回路を無効とし、受電回路を有効とすることで、通信回路から受電回路に切り替える。
また、電子機器３００の制御部３０１が給電装置２００に対してステータスレスポンスデータを送信した後に、所定期間８０２経過後にＳ７０９の処理を行う。ここで、所定期間８０２は、給電装置２００と電子機器３００が共有する所定の時間Ｔ２以上であるとする。
Ｓ７０９において、電子機器３００の制御部３０１は通信回路を有効とし、受電回路を無効とすることで、受電回路から通信回路に切り替える。
【００６１】
Ｓ６０８において、給電装置２００の制御部２０１は第１の通信部２０６が電子機器３００からステータスレスポンスデータを受信する。
給電装置２００の制御部２０１が電子機器３００からステータスレスポンスデータを受信した後、所定期間８０３経過後にＳ６１２の処理を行う。ここで、所定期間８０３は、給電装置２００と電子機器３００が共有する所定の時間Ｔ１以上であるとする。
Ｓ６１２において、給電装置２００の制御部２０１は所定の大きさの給電電力を出力するように給電部２０２を制御する。
また、給電装置２００の制御部２０１が電子機器３００からステータスレスポンスデータを受信した後に、所定期間８０４経過後にＳ６１３の処理を行う。ここで、所定期間８０４は、給電装置２００と電子機器３００が共有する所定の時間Ｔ２以内であるとする。
Ｓ６１３において、給電装置２００の制御部２０１は給電電力の出力を停止するように給電部２０２を制御する。
【００６２】
以上、説明したように給電装置２００と電子機器３００は所定の時間Ｔ１を共有する。
給電装置２００はトランクザクションの一処理を起点として、所定の時間Ｔ１が経過した後に、電子機器３００に無線給電を開始する。このとき、所定の時間Ｔ１の終点は、電子機器３００が無線通信を無効にするタイミング（および給電可能な状態に遷移させるタイミング）よりも後である。したがって、給電装置２００と電子機器３００とは同様なタイミングで給電可能な状態に切り替わることから、電子機器３００の通信回路がダメージを受けることを防止することができる。
また、電子機器３００はトランクザクションの一処理を起点として、所定の時間Ｔ１が経過する前に、無線通信を無効（および給電可能な状態）にする。このとき、所定の時間Ｔ１の終点は、給電装置２００が無線給電を開始するタイミングよりも前である。したがって、給電装置２００と電子機器３００とは同様なタイミングで給電可能な状態に切り替わることから、電子機器３００の通信回路がダメージを受けることを防止することができる。
なお、本実施例１では、電子機器３００の制御部３０１は、所定の時間Ｔ１が経過する前に、無線通信を無効にすると共に給電可能な状態に遷移させるように制御する場合について説明した。しかしながら、制御部３０１は所定の時間Ｔ１が経過する前に、少なくとも無線通信を無効にすることで、電子機器３００の通信回路がダメージを受けることを防止することができる。
【００６３】
また、給電装置２００と電子機器３００は所定の時間Ｔ２を共有する。
給電装置２００はトランクザクションの一処理を起点として、所定の時間Ｔ２が経過する前に、電子機器３００への無線給電を終了する。このとき、所定の時間Ｔ２の終点は、電子機器３００が無線通信を有効にするタイミングよりも前である。したがって、給電装置２００と電子機器３００とは同様なタイミングで無線通信可能な状態に切り替わることから、電子機器３００の通信回路がダメージを受けることを防止することができる。
また、電子機器３００はトランクザクションの一処理を起点として、所定の時間Ｔ２が経過した後に、無線通信を有効にする。このとき、所定の時間Ｔ２の終点は、給電装置２００が電子機器３００に無線給電を終了させるタイミングよりも後である。したがって、給電装置２００と電子機器３００とは同様なタイミングで無線通信可能な状態に切り替わることから、電子機器３００の通信回路がダメージを受けることを防止することができる。
【００６４】
＜実施例２＞
次に、実施例２について説明する。実施例２は、実施例１の図１〜図５の構成および状態遷移図と共通であり、適宜説明を省略する。
（給電装置による制御処理）
実施例２において、給電装置２００の無線給電を制御するための制御処理について、図９のフローチャートを用いて説明する。実施例２では、実施例１と比較してＳ６１０の処理の順番が異なっている。すなわち、実施例２では、第１のタイマー２０１ａおよび第２のタイマー２０１ｂの計測する起点が実施例１と異なる。その他の処理は、実施例１と同様であり、以下では、実施例１と異なる処理を中心に説明して、同様の処理は適宜、その説明を省略する。
【００６５】
Ｓ６０７において、制御部２０１は電子機器３００に対してステータスデータを要求するステータスリクエストデータを送信するように第１の通信部２０６を制御する。次に、制御部２０１はＳ６１０に進む。
Ｓ６１０において、制御部２０１は電子機器３００にステータスリクエストデータを送信したときを起点として、経過した時間を計測するように第１のタイマー２０１ａおよび第２のタイマー２０１ｂを制御する。次に、制御部２０１はＳ６０８に進む。Ｓ６０８は、実施例１と同様の処理である。
【００６６】
Ｓ６０９において、制御部２０１は第１の通信部２０６が受信したステータスレスポンスデータを用いて、電子機器３００にエラーが発生しているか否かを判定し、電子機器３００にエラーが発生していないと判定した場合（Ｓ６０９でＮｏ）にはＳ６１１に進む。
Ｓ６１１において、制御部２０１は第１のタイマー２０１ａによって計測された時間に基づいて、電子機器３００にステータスリクエストデータを送信してから所定の時間Ｔ１が経過したか否かを判定する。
Ｓ６１３において、制御部２０１は第２のタイマー２０１ｂによって計測された時間に基づいて、電子機器３００にステータスリクエストデータを送信してから所定の時間Ｔ２が経過する前に、給電電力の出力を停止するように給電部２０２を制御する。その後、制御部２０１はフローチャートを終了する。
【００６７】
（電子機器による制御処理）
次に、実施例２において、電子機器３００の無線給電を制御するための制御処理について、図１０のフローチャートを用いて説明する。実施例２では、実施例１と比較してＳ７０６の処理の順番が異なっている。すなわち、実施例２では、タイマー３０１ａの計測する起点が実施例１と異なる。その他の処理は、実施例１と同様であり、以下では、実施例１と異なる処理を中心に説明して、同様の処理は適宜、その説明を省略する。
【００６８】
Ｓ７０４において、制御部３０１は第１の通信部３０６を制御して、給電装置２００からステータスリクエストデータを受信したか否かを判定し、ステータスリクエストデータを受信したと判定した場合（Ｓ７０４でＹｅｓ）には、Ｓ７０６に進む。
Ｓ７０６において、制御部３０１は給電装置２００からステータスリクエストデータを受信したときを起点として、経過した時間を計測するようにタイマー３０１ａを制御する。次に、制御部３０１はＳ７０５に進む。Ｓ７０５は、実施例１と同様の処理である。
【００６９】
Ｓ７０８において、制御部３０１はタイマー３０１ａによって計測された時間に基づいて、給電装置２００からステータスリクエストデータを受信してから所定の時間Ｔ２が経過したか否かを判定する。
なお、所定の時間Ｔ１の情報は、実施例１と同様、給電装置２００が電子機器３００にステータスリクエストデータとして送信することにより、給電装置２００と電子機器３００により共有することができる。また、所定の時間Ｔ２の情報は、実施例１と同様、電子機器３００が給電装置２００にステータスレスポンスデータとして送信することにより、給電装置２００と電子機器３００により共有することができる。
【００７０】
（シーケンスチャートによる説明）
次に、実施例２において、給電装置２００および電子機器３００の無線給電を制御するための制御処理について、図１１のシーケンスチャートを用いて説明する。
Ｓ７０１において、電子機器３００の制御部３０１は通信回路を有効とし、受電回路を無効とする。
Ｓ６０１において、給電装置２００の制御部２０１は通信電力を出力するように給電部２０２を制御する。
【００７１】
Ｓ６０７において、給電装置２００の制御部２０１は電子機器３００に対してステータスデータを要求するステータスリクエストデータを送信するように第１の通信部２０６を制御する。
給電装置２００の制御部２０１は電子機器３００に対してステータスデータを要求するステータスリクエストデータを送信した後、所定期間１１０１経過後にＳ６１２の処理を行う。ここで、所定期間１１０１は、給電装置２００と電子機器３００が共有する所定の時間Ｔ１以上であるとする。
また、給電装置２００の制御部２０１は電子機器３００に対してステータスデータを要求するステータスリクエストデータを送信した後、所定期間１１０２経過後にＳ６１３の処理を行う。ここで、所定期間１１０２は、給電装置２００と電子機器３００が共有する所定の時間Ｔ２以内であるとする。
【００７２】
Ｓ７０４において、電子機器３００の制御部３０１は第１の通信部３０６を制御して、給電装置２００からステータスリクエストデータを受信する。
電子機器３００の制御部３０１は給電装置２００からステータスリクエストデータを受信した後、所定期間１１０３経過後にＳ７０７の処理を行う。ここで、所定期間１１０３は、給電装置２００と電子機器３００が共有する所定の時間Ｔ１以内であるとする。
電子機器３００の制御部３０１は給電装置２００からステータスリクエストデータを受信した後、所定期間１１０４経過後にＳ７０９の処理を行う。ここで、所定期間１１０４は、給電装置２００と電子機器３００が共有する所定の時間Ｔ２以上であるとする。
【００７３】
Ｓ７０５において、電子機器３００の制御部３０１は第１の通信部３０６を制御して、給電装置２００に対してステータスレスポンスデータを送信する。
Ｓ７０７において、電子機器３００の制御部３０１は通信回路を無効とし、受電回路を有効とすることで、通信回路から受電回路に切り替える。
Ｓ７０９において、電子機器３００の制御部３０１は通信回路を有効とし、受電回路を無効とすることで、受電回路から通信回路に切り替える。
【００７４】
Ｓ６０８において、給電装置２００の制御部２０１は第１の通信部２０６が電子機器３００からステータスレスポンスデータを受信する。
Ｓ６１２において、給電装置２００の制御部２０１は所定の大きさの給電電力を出力するように給電部２０２を制御する。
Ｓ６１３において、給電装置２００の制御部２０１は給電電力の出力を停止するように給電部２０２を制御する。
【００７５】
以上、実施例２では、第１のタイマー２０１ａ、第２のタイマー２０１ｂおよびタイマー３０１ａの計測する起点が実施例１と異なっている。このように、各タイマーの計測する起点は給電装置２００から電子機器３００への給電開始のための一連の処理のうち特定の処理であってもよく、この場合でも実施例１と同様に電子機器３００の通信回路がダメージを受けることを防止することができる。
【００７６】
なお、実施例１、２では、給電装置２００は給電アンテナ２０７を用いて電子機器３００に所定の電力を供給し、給電アンテナ２０７を用いて第１の通信部２０６と電子機器３００とが通信を行う場合について説明したが、この場合に限られないものとする。例えば、給電装置２００は、電子機器３００に所定の電力を供給するためのアンテナと、第１の通信部２０６と電子機器３００との通信を行うためのアンテナとを別々に有する構成であってもよい。
また、電子機器３００は受電アンテナ３０３を用いて給電装置２００から電力を受け取り、受電アンテナ３０３を用いて給電装置２００と第１の通信部３０６とが通信を行う場合について説明したが、この場合に限られないものとする。例えば、電子機器３００は、給電装置２００から電力を受け取るためのアンテナと、給電装置２００と第１の通信部３０６との通信を行うアンテナとを別々に有する構成であってもよい。
なお、第１の通信部２０６がＮＦＣ規格におけるリーダライタとして動作するものとして説明を行ったが、これに限られないものとする。例えば、第１の通信部２０６がＮＦＣ規格におけるＰ２Ｐ（Ｐｅｅｒ  Ｔｏ  Ｐｅｅｒ）として動作するものであってもよい。
【００７７】
＜他の実施例＞
本発明に係る給電装置は、実施例１および実施例２で説明した給電装置２００に限定されるものではない。例えば、本発明に係る給電装置は、複数の装置から構成されるシステムにより実現することも可能である。また、本発明に係る電子機器は、実施例１および実施例２で説明した電子機器３００に限定されるものではない。例えば、本発明に係る電子機器は、複数の装置から構成されるシステムにより実現することも可能である。
【００７８】
また、実施例１および実施例２で説明した様々な処理および機能は、コンピュータプログラムより実現することも可能である。この場合、本発明に係る処理はコンピュータプログラムで実行可能であり、実施例１および実施例２で説明した様々な機能を実現することになる。本発明に係るコンピュータプログラムは、コンピュータ上で稼動しているＯＳ（Ｏｐｅｒａｔｉｎｇ  Ｓｙｓｔｅｍ）などを利用して、実施例１および実施例２で説明した様々な処理および機能を実現してもよいことは言うまでもない。
【００７９】
以上、本発明を種々の実施例と共に説明したが、本発明はこれらの実施例にのみ限定されるものではなく、本発明の範囲内で変更等が可能であり、上述した実施例を適時組み合わせてもよい。
本発明は、上述の実施例の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００８０】
１００：給電システム  ２００：給電装置  ２０１：制御部  ２０２：給電部  ３００：電子機器  ３０１：制御部  ３０２：受電部
【図１】
2018137956.tif 000003
【図２】
2018137956.tif 000004
【図３】
2018137956.tif 000005
【図４】
2018137956.tif 000006
【図５】
2018137956.tif 000007
【図６】
2018137956.tif 000008
【図７】
2018137956.tif 000009
【図８】
2018137956.tif 000010
【図９】
2018137956.tif 000011
【図１０】
2018137956.tif 000012
【図１１】
2018137956.tif 000013